(57)【要約】【課題】本発明は、光コードの回転が抑制された光コネクタを提供する。【解決手段】光コード１８Ｂの端末から露出された光ファイバ１６Ｂの先端に外嵌されたフェルール１３Ｂが収容されるハウジングを備えた雌側光コネクタ１２であって、光ファイバ１６Ｂとシース１７Ｂとの間には抗張力材３４が介在されており、シース１７Ｂから露出された抗張力材３４は、外リング３７をかしめることにより内リング３６及び外リング３７によって挟持されており、外リング３７には外リング３７の径方向について外方に突出する第１かしめ突部４０が形成されており、雌側ハウジング２４には外リング３７が収容される外リング収容部４２が形成されており、外リング収容部４２の内壁には、外リング３７に対して外リング３７の周方向の力が加えられた時に第１かしめ突部４０に対して外リング３７の周方向から当接する回り止め部４９が形成されている。【選択図】図１１
2012233949.tif 000002
【特許請求の範囲】
【請求項１】
光ファイバの外周をシースで被覆してなる光コードの端末から露出された前記光ファイバの先端に外嵌されたフェルールが収容されるハウジングを備えた光コネクタであって、
前記光ファイバと前記シースとの間には抗張力材が介在されており、前記シースから露出された前記抗張力材は、内リングと外リングとの間に挟まれた状態で前記外リングをかしめることにより前記内リング及び前記外リングによって挟持されており、前記外リングには前記外リングの径方向について外方に突出するかしめ突部が形成されており、
前記ハウジングには前記外リングが収容される外リング収容部が形成されており、前記外リング収容部の内壁には、前記外リングに対して前記外リングの周方向の力が加えられた時に前記かしめ突部に対して前記外リングの周方向から当接する回り止め部が形成されている光コネクタ。
【請求項２】
前記回り止め部は、外リング収容部の内壁に陥没して形成された凹部の内壁面である請求項１に記載の光コネクタ。
【請求項３】
前記外リングには複数の前記かしめ突部が前記外リングの周方向について等角度間隔を空けて形成されており、前記外リング収容部の内壁には、複数の前記かしめ突部の角度間隔と同じ角度間隔を空けて、複数の前記回り止め部が形成されている請求項１または請求項２に記載の光コネクタ。
【請求項４】
前記ハウジングはロアハウジングと、前記ロアハウジングに組み付けられるアッパーハウジングと、を備え、前記ロアハウジングと前記アッパーハウジングとが組み付けられることにより、前記ロアハウジングと前記アッパーハウジングとの間に前記外リング収容部が形成されている請求項１ないし請求項３のいずれか一項に記載の光コネクタ。
【請求項５】
前記外リングの外周面は、前記ロアハウジングと前記アッパーハウジングとが組み付けられた状態で、前記ロアハウジングと前記アッパーハウジングとの間に挟持されている請求項４に記載の光コネクタ。
【請求項６】
前記かしめ突部は、前記凹部内に収容された状態で、外リングの周方向の両側から、前記凹部の内壁面に形成された前記回り止め部に挟まれている請求項１ないし請求項５のいずれか一項に記載の光コネクタ。
【発明の詳細な説明】
【技術分野】
【０００１】
本発明は、光コネクタに関する。
【背景技術】
【０００２】
従来、光コネクタとして、特許文献１に記載のものが知られている。この光コネクタは、光ファイバの外周をシースで包囲してなる光コードの端部から露出された光ファイバーの先端に固定されたフェルールを収容するハウジングを備える。光ファイバとシースとの間には抗張力材が介在されている。この抗張力材によって、光コードに対して過大な張力が加えられた場合に、光ファイバが切断されることが抑制されるようになっている。
【０００３】
抗張力材は、シースのシースの先端から引き出されて、ストップリングの端部と、カシメリングとの間に挟まれた状態でかしめリングによってかしめ付けられている。ストップリングとフェルールとの間にはバネが介在されている。
【先行技術文献】
【特許文献】
【０００４】
【特許文献１】特開２００８−１９１４１０号公報
【発明の概要】
【発明が解決しようとする課題】
【０００５】
光コードのシースに対して、光コードの周方向を向く力が加えられると、光コードのシースは、光コードの軸線を中心として回転する。すると、シースの内側に配された抗張力材、及び光ファイバも、光コードの軸線を中心として回転する。抗張力材はストップリングにかしめ付けられているので、抗張力材とストップリングとは追従して回転する。一方、光ファイバはフェルールに固定されているので、光ファイバとフェルールとは追従して回転する。
【０００６】
しかしながら、フェルールとストップリングの間にはバネが介在されているだけであり、フェルールとストップリングとは固定されていない。このため、フェルールとストップリングとが、互いに独立に回転することが懸念される。すると、抗張力材にカシメ付けられたストップリングと、光ファイバに固定されたフェルールとが互いに独立に回転することにより、抗張力材と光ファイバとの間に捻回力が作用することが懸念される。この捻回力により、光ファイバが破損することが懸念される。
【０００７】
本発明は上記のような事情に基づいて完成されたものであって、光コードの回転が抑制された光コネクタを提供することを目的とする。
【課題を解決するための手段】
【０００８】
本発明は、光ファイバの外周をシースで被覆してなる光コードの端末から露出された前記光ファイバの先端に外嵌されたフェルールが収容されるハウジングを備えた光コネクタであって、前記光ファイバと前記シースとの間には抗張力材が介在されており、前記シースから露出された前記抗張力材は、内リングと外リングとの間に挟まれた状態で前記外リングをかしめることにより前記内リング及び前記外リングによって挟持されており、前記外リングには前記外リングの径方向について外方に突出するかしめ突部が形成されており、前記ハウジングには前記外リングが収容される外リング収容部が形成されており、前記外リング収容部の内壁には、前記外リングに対して前記外リングの周方向の力が加えられた時に前記かしめ突部に対して前記外リングの周方向から当接する回り止め部が形成されている。
【０００９】
光コードに対して、光コードの周方向の力が加えられると、光コードは光コードの軸線を中心として回転しようとする。すると、光コードには、シースと光ファイバとの間に抗張力材が介在されているので、この抗張力材に対しても、シースを介して光コードの周方向を向く力が加えられる。この抗張力材は内リングと外リングとの間に挟持されているので、外リングに対しても、抗張力材を介して外リングの周方向の力が加えられる。この結果、外リングは、その軸線を中心として回転しようとする。本願発明によれば、外リングを収容する外リング収容部の内壁には、回り止め部が形成されている。この回り止め部が、外リングの軸線を中心として回転しようとするかしめ突部に対して、外リングの周方向から当接する。これにより、外リングがその軸線を中心として回転することが抑制される。この結果、外リング、抗張力材、及び光コードが回転することを抑制できる。
【００１０】
本発明の実施態様としては以下の態様が好ましい。
前記回り止め部は、外リング収容部の内壁に陥没して形成された凹部の内壁面であることが好ましい。
【００１１】
上記の態様によれば、かしめ突部は、外リング収容部の内壁に形成された凹部の内壁面と、外リングの周方向から当接する。このように、外リング収容部の内壁に凹部を形成するという簡易な構成により、光コードの回転を抑制できる。
【００１２】
前記外リングには複数の前記かしめ突部が前記外リングの周方向について等角度間隔を空けて形成されており、前記外リング収容部の内壁には、複数の前記かしめ突部の角度間隔と同じ角度間隔を空けて、複数の前記回り止め部が形成されていることが好ましい。
【００１３】
例えば、外リングに１つのかしめ突部が形成されており、外リング収容部には１つの回り止め部が形成されている場合、外リングを外リング収容部内に収容するためには、最悪の場合、外リングを略３６０°回転させなければならない。このため、外リングを外リング収容部内に収容する工程が煩雑となってしまう。上記の点に鑑み、本態様においては、複数のかしめ突部が外リングの周方向について等角度間隔を空けて形成されており、外リング収容部の内壁には、複数のかしめ突部の角度間隔と同じ角度間隔を空けて、複数の回り止め部が形成されている。これにより、外リングをリング収容部に収容する工程において、作業者は、隣り合うかしめ突部の角度だけ外リングを回転させれば、かしめ突部と、回り止め部とを対応させることができる。例えば、外リングの外周に４つのかしめ突部が９０°間隔を空けて形成されており、外リング収容部には、かしめ突部に対応して９０°間隔を空けて４つの回り止め部が形成されている場合、作業者は、最悪の場合であっても、外リングを略９０°回転させるだけで、かしめ突部と回り止め部とを対応させることができる。これにより、外リングを外リング収容部内に収容する工程の作業効率を向上させることができる。
【００１４】
前記ハウジングはロアハウジングと、前記ロアハウジングに組み付けられるアッパーハウジングと、を備え、前記ロアハウジングと前記アッパーハウジングとが組み付けられることにより、前記ロアハウジングと前記アッパーハウジングとの間に前記外リング収容部が形成されていることが好ましい。
【００１５】
上記の態様によれば、ロアハウジングのうち外リング収容部に対応する位置に外リングを載置した後に、アッパーハウジングをロアハウジングに組み付けることにより、外リングを、外リング収容部内に収容することができる。これにより、例えばハウジングに孔状に形成された外リング収容部内に、外リングを挿入して収容する場合に比べて、外リングをハウジング内に収容する作業工程を容易に行うことができる。
【００１６】
前記外リングの外周面は、前記ロアハウジングと前記アッパーハウジングとが組み付けられた状態で、前記ロアハウジングと前記アッパーハウジングとの間に挟持されていることが好ましい。
【００１７】
上記の態様によれば、外リングがガタつくことを抑制できる。これにより、光コードが回転することを確実に抑制できる。
【００１８】
前記かしめ突部は、前記凹部内に収容された状態で、外リングの周方向の両側から、前記凹部の内壁面に形成された前記回り止め部に挟まれていることが好ましい。
【００１９】
上記の態様によれば、かしめ突部が回り止め部によって外リングの周方向の両側から挟まれることにより、外リング、及び光コードが回転することを確実に抑制できる。
【発明の効果】
【００２０】
本発明によれば、光コネクタに配される光コードが回転することを抑制できる。
【図面の簡単な説明】
【００２１】
【図１】本発明の実施形態１に係る光コネクタを示す断面図
【図２】ロアハウジングを示す側面図
【図３】ロアハウジングを示す平面図
【図４】ロアハウジングを示す背面図
【図５】アッパーハウジングを示す側面図
【図６】アッパーハウジングを示す底面図
【図７】アッパーハウジングを示す背面図
【図８】内リング、外リング、及び光コードを示す分解斜視図
【図９】光コードに内リング及び外リングが取り付けられた状態を示す斜視図
【図１０】ロア側径小部収容溝と、アッパー側径小部収容溝と、径小部と、を示す背面図
【図１１】第１かしめ突部と、回り止め部との係合状態を示す背面図
【図１２】本発明の実施形態２に係る光コネクタにおいて、第１かしめ突部と、回り止め部との係合状態を示す背面図
【図１３】本発明の実施形態３に係る光コネクタにおいて、第１かしめ突部と、回り止め部との係合状態を示す背面図
【図１４】本発明の実施形態３に係る光コネクタにおいて、第１かしめ突部と、回り止め部との係合状態を示す背面図
【発明を実施するための形態】
【００２２】
＜実施形態１＞
本発明を、互いに嵌合する一対の光コネクタの少なくとも一方に適用した実施形態１を図１ないし図１１を参照しつつ説明する。光コネクタは、雄側光コネクタ１０と、この雄側光コネクタ１０が嵌入されるフード部１１を有する雌側光コネクタ１２（特許請求の範囲に記載の光コネクタの一例）と、を備える。なお、以下の説明においては、各光コネクタの嵌合方向の前方を前方とし、嵌合方向の後方を後方とする。また、上下方向については、図１の上方を上方とし、下方を下方とする。
【００２３】
（雄側光コネクタ１０）
図１において右側に位置する雄側光コネクタ１０は、フェルール１３Ａを収容するキャビティ１４が形成された合成樹脂製の雄側ハウジング１５を有する。フェルール１３Ａは、光ファイバ１６Ａの外周をシース１７Ａで被覆してなる光コード１８Ａの端末から露出する光ファイバ１６Ａの先端に外嵌されている。光ファイバ１６Ａとフェルール１３Ａとは接着剤等、公知の手法により固定されている。フェルール１３Ａは前後方向に細長い形状をなしている。フェルール１３Ａの外面には、外方に突出するフランジ１９が形成されている。このフランジ１９と、キャビティ１４内に内方に突出して形成されたばね受け部２０との間には、ばね２１が介在されている。このばね２１により、フェルール１３Ａは前方（図１における左方）に付勢されている。
【００２４】
キャビティ１４に前壁にはフェルール１３Ａの前端部が挿通される挿通孔２２が形成されている。挿通孔２２から突出するフェルール１３Ａは、雄側ハウジング１５に形成された保護筒部２３によって包囲されており、この保護筒部２３によって保護されている。
【００２５】
（雌側光コネクタ１２）
図１における左側に位置する雌側光コネクタ１２は、フェルール１３Ｂが収容される合成樹脂製の雌側ハウジング２４を有する。雌側ハウジング２４のフード部１１内には、嵌合筒部２５が前方（図１における右方）に突出して形成されている。嵌合筒部２５は、雄側ハウジング１５の保護筒部２３内に嵌入されるようになっている。保護筒部２３の内部には割スリーブ２６が挿入されている。
【００２６】
割スリーブ２６は、金属製であって弾性変形可能な材料からなり、略円筒形状をなしている。割スリーブ２６の側縁には前後方向に図示しないスリット３５が形成されており、このスリット３５により、割スリーブ２６は径方向について弾性変形可能になっている。
【００２７】
割スリーブ２６の後端には、割スリーブ２６の径方向外方に突出する一対の係合突起２７が形成されている。この係合突起２７がフード部１１の後壁に後方（図１における左方）から係合することにより、割スリーブ２６が前方（図１における右方）に移動することが抑制されるようになっている。
【００２８】
図３に示すように、雌側ハウジング２４は、フード部１１を備えると共に上方に開口されたロアハウジング２８と、ロアハウジング２８に上方から組み付けられるアッパーハウジング２９と、を備える。ロアハウジング２８と、アッパーハウジング２９とに囲まれた空間内に、光コード１８Ｂの端部と、フェルール１３Ｂと、が収容されている。ロアハウジング２８の側壁には外方に突出するロック突部３１が形成されている。図２に示すように、ロック突部３１は、ロアハウジング２８の側壁に前後方向に２つ並んで形成されている。
【００２９】
図７に示すように、アッパーハウジング２９は、上壁と、この上壁の左右両側縁から下方に垂下する一対の側壁を有する。図５に示すように、アッパーハウジング２９の側壁には、ロック突部３１に対応する位置に、ロック突部３１と弾性的に係合するロック受け部３２が形成されている。このロック突部３１とロック受け部３２とが弾性的に係合することにより、ロアハウジング２８とアッパーハウジング２９とが一体に組み付けられるようになっている。
【００３０】
（光ファイバ１６）
図１に示すように、光ファイバ１６Ｂの外周をシース１７Ｂで被覆してなる光コード１８Ｂの端末から露出する光ファイバ１６Ｂの先端にはフェルール１３Ｂが外嵌されている。光ファイバ１６Ｂは、フェルール１３Ｂに形成された図示しない貫通孔内に挿通された状態で、接着剤等、公知の手法により固定されている。光ファイバ１６Ｂは、光信号を伝送する部材であり、公知の各種光ファイバが適用される。
【００３１】
フェルール１３Ｂの先端は、割スリーブ２６の後端側（図１における左側）から、割スリーブ２６内に挿入されている。雌側光コネクタ１２と雄側光コネクタ１０とが嵌合すると、雄側光コネクタ１０のフェルール１３Ａが割スリーブ２６の内部に挿入され、雌側光コネクタ１２のフェルール１３Ｂの先端面と、雄側光コネクタ１０のフェルール１３Ａの先端面とが割スリーブ２６内で突き合わせられる。これにより、両フェルール１３Ａ，１３Ｂに固定された光ファイバ１６Ａ，１６Ｂが光学的に接続されるようになっている。
【００３２】
図８に示すように、光コード１８Ｂのシース１７Ｂは略チューブ状をなす。シース１７Ｂの内部には軸線方向に延びる貫通孔３３が形成されている。シース１７Ｂの断面形状は特に限定されるものではないが、本実施形態では略円形状をなしている。シース１７Ｂは、外周から圧縮力が加えられると、径方向に圧縮変形可能になっている。シース１７Ｂは、例えば、ポリ塩化ビニル、ポリエチレン、ノンハロゲン難燃ポリエチレンなどの各種合成樹脂材料により形成される。
【００３３】
貫通孔３３の内部には、抗張力材３４が収容されており、更に、この抗張力材３４に囲まれた状態で光ファイバ１６Ｂが収容されている。抗張力材３４は紐状の部材である。抗張力材３４は、光コード１８Ｂに過大な張力が加えられた場合に、光ファイバ１６Ｂの破断を防止するための部材であり、例えばアラミド繊維により形成される。
【００３４】
シース１７Ｂの端部には、その端面から軸線方向に延びるスリット３５が形成されている。抗張力材３４は、このスリット３５内に挿通されて、シース１７Ｂの外側に引き出されている。
【００３５】
（内リング３６及び外リング３７）
図８及び図９に示すように、シース１７Ｂの外側に引き出された抗張力材３４は、金属製の内リング３６と、金属製の外リング３７との間に挟まれた状態で、外リング３７が縮径変形されてかしめつけられることにより、内リング３６及び外リング３７によって挟持される。
【００３６】
内リング３６は、例えば、金属材料を切削加工することにより形成される。内リング３６は略環状又は筒状をなしている。内リング３６の内径は、光コード１８Ｂのシース１７Ｂの外径と同じか、やや大きく設定されている。これにより、内リング３６は光コード１８Ｂのシース１７Ｂに外嵌可能になっている。内リング３６の外周面には、抗張力材３４との結合強度を向上させるための凹凸が形成されていてもよい。
【００３７】
外リング３７は、例えば、金属材料を切削加工することにより形成される。外リング３７は略環状又は筒状をなしている。外リング３７は、比較的に内径が小さな径小部３８と、この径小部３８よりも大きな内径を有する径大部３９と、が外リング３７の軸線方向に直列に設けられている。
【００３８】
径小部３８の内径は、光コード１８Ｂのシース１７Ｂの外径と同じか、やや大きく設定されている。これにより外リング３７の径小部３８は、光コード１８Ｂのシース１７Ｂに外嵌可能になっている。
【００３９】
大径部の内径は、内リング３６の外径よりもやや大きく設定されている。これにより、外リング３７の径大部３９は、内リング３６の外側に抗張力材３４を介在させた状態で内リング３６に外嵌可能になっている。
【００４０】
内リング３６は、外リング３７よりも変形しにくい材料からなる構成とすることができる。例えば、内リング３６は外リング３７よりも硬い材料により形成されてもよい。例えば、内リング３６がステンレス鋼、又は黄銅等の銅合金により形成される構成とし、外リング３７がアルミニウム又はアルミニウム合金により形成される構成としてもよい。
【００４１】
続いて、内リング３６及び外リング３７と、光コード１８Ｂとの取り付け構造について説明する。光コード１８Ｂの抗張力材３４は、シース１７Ｂに形成されたスリット３５に通されて、シース１７Ｂの外部に引き出されている。内リング３６は、前方からシース１７Ｂの前端部に外嵌されている。シース１７Ｂの外部に引き出された抗張力材３４は、内リング３６の外周側に配されている。
【００４２】
外リング３７の径小部３８は、光コード１８Ｂのシース１７Ｂに、内リング３６よりも後方の位置に外嵌されており、外リング３７の径大部３９は、内リング３６の外側に重なるように配されている。径小部３８は、縮径方向に塑性変形されてかしめ付けられることによりシース１７Ｂの外面に食い込んだ状態で固定されている。径小部３８がかしめられることにより、径小部３８には、径小部３８の略直径方向について突出する一対の第１かしめ突部４０（特許請求の範囲に記載のかしめ突部の一例）が形成されている。
【００４３】
一方、径大部３９は、内リング３６との間に抗張力材３４を挟んだ状態で縮径方向に塑性変形されてかしめ付けられている。径大部３９がかしめられることにより、径大部３９には、径大部３９の直径方向について突出する一対の第２かしめ突部４１が形成されている。本実施形態においては、第１かしめ突部４０の突出する方向と、第２かしめ突部４１の突出する方向とは略整合しているが、第１かしめ突部４０の突出する方向と、第２かしめ突部４１の突出する方向とが相違していてもよい。
【００４４】
（外リング収容部４２）
図３に示すように、ロアハウジング２８の収容部内には、外リング３７が収容されるロア側外リング収容溝４３が前後方向に延びて形成されている。本実施形態においては、ロア側外リング収容溝４３は、２つ並んで形成されている。ロア側外リング収容溝４３は、外リング３７の径小部３８が収容されるロア側径小部収容溝４４と、このロア側径小部収容溝４４の前方（図３における右方）に形成されたロア側径大部収容溝４５と、を備える。
【００４５】
一方、図６に示すように、アッパーハウジング２９の上壁には、ロアハウジング２８のロア側外リング収容溝４３に対応する位置に、２つのアッパー側外リング収容溝４６が前後方向に延びて形成されている。アッパー側外リング収容溝４６は、外リング３７の径小部３８が収容されるアッパー側径小部収容溝４７と、このアッパー側径小部収容溝４７の前方（図６における右方）に形成されたアッパー側径大部収容溝４８と、を備える。
【００４６】
ロアハウジング２８とアッパーハウジング２９とが組み付けられた状態では、ロア側外リング収容溝４３と、アッパー側外リング収容溝４６とに囲まれる空間は、外リング収容部４２とされており、前後方向に延びる略筒状をなしている。外リング３７は、ロアハウジング２８のロア側外リング収容溝４３内に載置された後に、アッパーハウジング２９をロアハウジング２８に組み付けることにより、外リング収容部４２内に収容される構成となっている。
【００４７】
（回り止め部４９）
図４に示すように、ロア側径小部収容溝４４は、その断面形状が略半円形状をなしている。ロア側径小部収容溝４４の内径寸法は、径小部３８の外形と略同じかやや大きく設定されている。ロア側径小部収容溝４４の内壁には、ロア側径小部収容溝４４の上端部寄りの位置に、ロア側径小部収容溝４４の径方向の外方に陥没する一対の凹部５０が形成されている。凹部５０において、ロア側径小部収容溝４４の内壁面から陥没する寸法は、第１かしめ突部４０が径小部３８の外面から突出する寸法と、同じか、又はやや大きく設定されている。図３に示すように、凹部５０は、ロア側径小部収容溝４４における前後方向の全域に亘って形成されている。
【００４８】
図１０及び図１１に示すように、ロア側径小部収容溝４４の内部に径小部３８が収容された状態では、一対の第１かしめ突部４０は、各凹部５０の上方に位置するように配されている。凹部５０の内壁面は、第１かしめ突部４０に対して下方から当接してもよく、また、離間していてもよい。凹部５０の内壁面は、外リング３７に対して、外リング３７の周方向の力が加えられた時に、この力と反対方向であって、且つ外リング３７の周方向から第１かしめ突部４０に当接する回り止め部４９とされる。図１１に示すように、外リング３７の径小部３８の外面は、アッパー側径小部収容溝４７の内壁と、ロア側径小部収容溝４４の内壁との間に挟み付けられて保持されるようになっている。なお、図１０及び図１１においては、第１かしめ突部４０と回り止め部４９との係合状態を説明するために、光コード１８Ｂ、及び内リング３６等が省略されている。
【００４９】
（本実施形態の作用、効果）
続いて、本実施形態の作用、効果について説明する。光コード１８Ｂに対して、光コード１８Ｂの周方向の力が加えられると、光コード１８Ｂは光コード１８Ｂの軸線を中心として回転しようとする。光コード１８Ｂには、シース１７Ｂと光ファイバ１６Ｂとの間に抗張力材３４が介在されているので、この抗張力材３４も回転しようとする。この抗張力材３４は内リング３６と外リング３７との間に挟持されているので、外リング３７に対しても、抗張力材３４を介して、外リング３７の周方向の力が加えられ、これにより外リング３７は、その軸線を中心として回転しようとする。
【００５０】
本実施形態においては、外リング３７が収容される外リング収容部４２の内壁には凹部５０が陥没して形成されており、この凹部５０の内壁面が回り止め部４９とされている。詳細には、外リング収容部４２を構成するロア側径小部収容溝４４の上端部寄りの位置に陥没して形成された凹部５０の内壁面が回り止め部４９とされる。この回り止め部４９が、外リング３７の軸線を中心として回転しようとする第１かしめ突部４０に対して、外リング３７の周方向であって、且つ外リング３７に加えられた力と反対方向から当接する。本実施形態においては、回り止め部４９は、第１かしめ突部４０に対して下方から当接するようになっている。これにより、外リング３７がその軸線を中心として回転することが抑制される。この結果、外リング３７、抗張力材３４、及び光コード１８Ｂが回転することを抑制できる。この結果、光ファイバ１６Ｂに捻回力が作用することを抑制できるので、光ファイバ１６Ｂが破損することを抑制できる。
【００５１】
また、上記したように本実施形態においては、回り止め部４９は、リング収容部の内壁に陥没して形成された凹部５０の内壁面とされる。このように、本実施形態によれば、リング収容部の内壁に凹部５０を形成するという簡易な構成により、光コード１８Ｂの回転を抑制できる。
【００５２】
本実施形態においては、径小部３８に形成された第１かしめ突部４０と、回り止め部４９とが当接する構成となっている。この径小部３８は、光コード１８Ｂのシース１７Ｂにかしめ付けられているので、径小部３８の回り止めを図ることにより、光コード１８Ｂが回転することを確実に抑制できる。
【００５３】
また、ハウジングはロアハウジング２８と、ロアハウジング２８に組み付けられるアッパーハウジング２９と、を備え、ロアハウジング２８とアッパーハウジング２９とが組み付けられることにより、ロアハウジング２８とアッパーハウジング２９との間に外リング収容部４２が形成されている。これにより、図１０に示すように、ロアハウジング２８のうち外リング収容部４２に対応する位置に外リング３７を載置した後に、アッパーハウジング２９を、上方から（図１０において矢線で示す方向）ロアハウジング２８に組み付けることにより、外リング３７を、外リング収容部４２内に収容することができる。これにより、例えばハウジングに孔状に形成された外リング収容部４２内に、外リング３７を挿入して収容する場合に比べて、外リング３７をハウジング内に収容する作業工程を容易に行うことができる。
【００５４】
また、本実施形態によれば、外リング３７の径小部３８の外面は、アッパー側径小部収容溝４７の内壁と、ロア側径小部収容溝４４の内壁との間に挟み付けられている。これにより、外リング３７がガタつくことを抑制できる。この結果、光コード１８Ｂが回転することを確実に抑制できる。
【００５５】
＜実施形態２＞
次に、本発明の実施形態２を図１２及び図１３を参照しつつ説明する。本実施形態においては、径小部３８には、４つの第１かしめ突部６０が、互いに９０°の角度を有して等角度間隔を空けて形成されている。
【００５６】
ロア側径小部収容溝４４の上端部寄りの位置には、一対の凹部６１Ａが陥没して形成されている。ロア側径小部収容溝４４の底部には、下方に陥没して凹部６１Ｂが更に形成されている。更に、アッパー側径小部収容溝４７の上部には、上方に陥没する凹部６１Ｃが形成されている。これにより、ロア側径小部収容溝４４とアッパー側径小部収容溝４７との間に形成される外リング収容部４２内には、９０°の間隔を空けて４つの凹部６１Ａ，６１Ｂ，６１Ｃが形成されている。これらの凹部６１Ａ，６１Ｂ，６１Ｃの内壁面は、第１かしめ突部４０と外リング３７の周方向から当接する回り止め部６２とされる。
【００５７】
第１かしめ突部６０は、凹部６１Ｂ，６１Ｃ内に収容された状態で、外リング３７の周方向の両側から、凹部６１Ｂ，６１Ｃの内壁面に形成された回り止め部６２に挟まれた構成になっている。
【００５８】
上記以外の構成については、実施形態１と略同様なので、同一部材については同一符号を付し、重複する説明を省略する。
【００５９】
例えば、外リング３７に１つのかしめ突部が形成されており、外リング収容部４２には１つの回り止め部が形成されている場合、外リング３７を外リング収容部４２内に収容するためには、最悪の場合、外リング３７を略３６０°回転させなければならない。このため、外リング３７を外リング収容部４２内に収容する工程が煩雑となってしまう。
【００６０】
上記の点に鑑み、本実施形態においては、４つの第１かしめ突部６０が外リング３７の周方向について等角度間隔を空けて形成されている。また、外リング収容部４２の内壁には、４つの第１かしめ突部６０の角度間隔と同じ角度間隔を空けて、４つの回り止め部６２が形成されている。これにより、外リング３７をリング収容部に収容する工程において、作業者は、隣り合う第１かしめ突部６０の角度だけ外リング３７を回転させれば、第１かしめ突部６０と、回り止め部６２とを対応させることができる。詳細に説明すると、本実施形態のように、外リング３７の外周に４つの第１かしめ突部６０が９０°間隔を空けて形成されており、外リング収容部４２には、第１かしめ突部６０に対応して９０°間隔を空けて４つの回り止め部６２が形成されている場合、作業者は、最悪の場合であっても、外リング３７を略９０°回転させるだけで、第１かしめ突部６０と回り止め部６２とを対応させることができる。これにより、外リング３７を外リング収容部４２内に収容する工程の作業効率を向上させることができる。
【００６１】
また、本実施形態によれば、各第１かしめ突部６０が回り止め部６２によって外リング３７の周方向の両側から挟まれることにより、外リング３７、及び光コード１８Ｂが回転することを確実に抑制できる。
【００６２】
＜実施形態３＞
次に、本発明の実施形態３を図１３及び図１４を参照しつつ説明する。本実施形態においては、径小部３８には、２つの第１かしめ突部７０が、互いに１８０°の角度を有して等角度間隔を空けて形成されている。
【００６３】
上記以外の構成については、実施形態２と略同様なので、同一部材については同一符号を付し、重複する説明を省略する。
【００６４】
図１３及び図１４に示すように、本実施形態によれば、作業者は、外リング３７を略９０°回転させるだけで、第１かしめ突部７０と回り止め部４９とを対応させることができる。これにより、外リング３７を外リング収容部４２内に収容する工程の作業効率を向上させることができる。
【００６５】
＜他の実施形態＞
本発明は上記記述及び図面によって説明した実施形態に限定されるものではなく、例えば次のような実施形態も本発明の技術的範囲に含まれる。
（１）本実施形態においては、本発明が雌側光コネクタ１２に適用される形態について説明したが、本発明は雄側光コネクタ１０にも適用できる。
（２）本実施形態に係る光コード１８Ｂは１つの光ファイバ１６Ｂを有する構成であったが、これに限られず、１つの光コード１８Ｂに複数の光ファイバ１６Ｂが含まれる構成としてもよい。
（３）本実施形態においては、回り止め部４９は外リング収容部４２の内壁に形成された凹部５０の内壁面としたが、これに限られず、回り止め部４９は、外リング収容部４２の内壁から内方に突出する凸部としてもよい。
（４）本実施形態においては、１つの外リング３７に複数のかしめ突部が形成され、外リング収容部４２には複数の回り止め部４９が形成される構成としたが、これに限られず、１つの外リング３７に１つのかしめ突部が形成される構成としてもよい。この場合において、外リング収容部４２には、１つの回り止め部を形成してもよく、また、複数の回り止め部を形成してもよい。複数の回り止め部は、異なる角度間隔で形成してもよい。
（５）実施形態２においては、複数の第１かしめ突部６０が等角度間隔を空けて外リング３７に形成され、外リング収容部４２には隣り合う第１かしめ突部６０の角度に対応する角度間隔で複数の回り止め部６２が形成される構成としたが、これに限られず、複数のかしめ突部が異なる角度間隔を空けて外リング３７に形成され、外リング収容部４２にはかしめ突部に対応する位置に複数の回り止め部４９が形成される構成としてもよい。
（６）本実施形態においては、第１かしめ突部は２つ、又は４つである形態としたが、これに限られず、３つ、又は５つ以上の複数の第１かしめ突部が形成される構成としてもよい。
（７）本実施形態においては、外リング３７の径小部３８に形成された第１かしめ突部４０と、回り止め部４９とが当接することにより、外リング３７、及び光コード１８Ｂが回転することが抑制される構成としたが、これに限られず、外リング３７の径大部３９に形成された第２かしめ突部４１と、ロア側径大部収容溝４５又はアッパー側径大部収容溝４６に形成された回り止め部と、が外リング３７の周方向から当接することにより、外リング３７、及び光コード１８Ｂが回転することを抑制する構成としてもよい。
（８）本実施形態においては、光コネクタには２つの光コード１８Ｂが配される構成としたが、これに限られず、１つの光コネクタに１つの光コードが配される構成としてもよく、また、１つの光コネクタに３つ以上の光コードが配される構成としてもよい。
【符号の説明】
【００６６】
１２…雌側光コネクタ（光コネクタ）
１３Ｂ…フェルール
１６Ｂ…光ファイバ
１７Ｂ…シース
１８Ｂ…光コード
２４…雌側ハウジング（ハウジング）
２８…ロアハウジング
２９…アッパーハウジング
３４…抗張力材
３６…内リング
３７…外リング
４０…第１かしめ突部（かしめ突部）
４２…外リング収容部
４９…回り止め部
５０…凹部
【図１】
2012233949.tif 000003
【図２】
2012233949.tif 000004
【図３】
2012233949.tif 000005
【図４】
2012233949.tif 000006
【図５】
2012233949.tif 000007
【図６】
2012233949.tif 000008
【図７】
2012233949.tif 000009
【図８】
2012233949.tif 000010
【図９】
2012233949.tif 000011
【図１０】
2012233949.tif 000012
【図１１】
2012233949.tif 000013
【図１２】
2012233949.tif 000014
【図１３】
2012233949.tif 000015
【図１４】
2012233949.tif 000016